(57)【要約】【課題】縦置き状態および横置き状態の両方の状態で安定して自立可能でかつ使用可能な携帯情報端末を提供する。【解決手段】この携帯情報端末１００は、情報を表示する表示部１と、表示部が前面２１ａに設けられる筐体２とを備え、筐体２の表示部１が設けられる前面２１ａとは反対側の後面２１ｂには、第１支持部分２３および第２支持部分２４が一体的に設けられており、第１支持部分２３および第２支持部分２４は、筐体２の長手方向の両端部近傍に設けられ、第１支持部分２３は、表示部１が横向きになるように立てた横置き状態で筐体２を支持する横置き状態支持部２３１と、表示部１が縦向きになるように立てた縦置き状態で筐体２を支持する縦置き状態支持部２３２との両方を含み、第２支持部分２４は、横置き状態支持部２４１を含む。【選択図】図１
2013207736.tif 000002
【特許請求の範囲】
【請求項１】
情報を表示する表示部と、
前記表示部が前面に設けられる筐体とを備え、
前記筐体の前記表示部が設けられる前記前面とは反対側の後面には、支持部分が一体的に設けられており、
前記支持部分は、前記筐体の長手方向の両端部近傍に設けられた第１支持部分および第２支持部分を含み、
前記第１支持部分および前記第２支持部分の一方は、前記表示部が横向きになるように立てた横置き状態で前記筐体を支持する第１底部支持部と、前記表示部が縦向きになるように立てた縦置き状態で前記筐体を支持する第２底部支持部との両方を含み、前記第１支持部分および前記第２支持部分の他方は、前記第１底部支持部および前記第２底部支持部のうちの少なくとも前記第１底部支持部を含む、携帯情報端末。
【請求項２】
前記筺体の前記後面から突出した状態で前記筺体の長手方向に沿って延びるように前記筐体と一体的に形成され、内部に電池を収納可能な電池収納部分を含み、
前記電池収納部分は、前記表示部が縦向き状態で把持可能なように構成されている、請求項１に記載の携帯情報端末。
【請求項３】
前記支持部分は、前記表示部が横向き状態で把持可能なように構成されている、請求項２に記載の携帯情報端末。
【請求項４】
前記電池収納部分は、前記支持部分に対して、前記表示部が前記横向き状態でユーザが前記支持部分を把持する際にユーザの指を挿入可能な間隔を隔てて配置されている、請求項３に記載の携帯情報端末。
【請求項５】
前記筺体が前記縦置き状態で支持された際の前記電池収納部分の中央部よりも下側に、前記電池の重心が位置するように前記電池が収納されるように構成されている、請求項２〜４のいずれか１項に記載の携帯情報端末。
【請求項６】
前記電池収納部分は、前記筺体の前記後面の短手方向の前記第１底部支持部の近傍に設けられている、請求項２〜５のいずれか１項に記載の携帯情報端末。
【請求項７】
前記筺体が前記縦置き状態で支持された際の上側の前記第２底部支持部に外部接続端子をさらに備える、請求項１〜６のいずれか１項に記載の携帯情報端末。
【請求項８】
前記支持部分は、前記筺体の載置面に対する前記表示部の傾斜角度が前記横置き状態の場合よりも前記縦置き状態の方が大きくなるように形成されている、請求項１〜７のいずれか１項に記載の携帯情報端末。
【請求項９】
前記筺体は、前記表示部を取り囲むように設けられた枠部を含み、
前記第２底部支持部と前記枠部の外縁部とは、略面一になるように形成されている、請求項１〜８のいずれか１項に記載の携帯情報端末。
【請求項１０】
前記筺体が前記縦置き状態で支持された際の下側の前記第２底部支持部には、複数の突起部分が設けられている、請求項１〜９のいずれか１項に記載の携帯情報端末。
【請求項１１】
前記表示部は、前記表示部の前記縦置き状態と前記横置き状態とに応じて表示の方向を変更可能に構成されている、請求項１〜１０のいずれか１項に記載の携帯情報端末。
【発明の詳細な説明】
【技術分野】
【０００１】
この発明は、携帯情報端末に関し、特に、表示部と表示部が設けられる筐体とを備える携帯情報端末に関する。
【背景技術】
【０００２】
従来、表示部と表示部が設けられる筐体とを備える携帯情報端末が知られている（たとえば、特許文献１参照）。
【０００３】
上記特許文献１には、情報を表示する液晶ディスプレイ（表示部）と、液晶ディスプレイが前面に設けられる筐体とを備え、筐体の液晶ディスプレイが設けられる前面とは反対側の後面に、回動支持アーム部を介してバッテリーパックが取り付けられている情報端末装置（携帯情報端末）が開示されている。この情報端末装置は、回動支持アーム部を回動軸としてバッテリーパックを筺体から離間する方向に回動させることによって、バッテリーパックにより、液晶ディスプレイが横向きとなるように立てた横置き状態で支持されて自立するように構成されている。
【先行技術文献】
【特許文献】
【０００４】
【特許文献１】特開２００４−２２０４４０号公報
【発明の概要】
【発明が解決しようとする課題】
【０００５】
しかしながら、上記特許文献１の情報端末装置では、バッテリーパックにより、液晶ディスプレイが横向きとなるように立てた横置き状態で自立可能である一方、液晶ディスプレイが縦向きとなるように立てた縦置き状態では、自立させることができないという問題点がある。
【０００６】
この発明は、上記のような課題を解決するためになされたものであり、この発明の１つの目的は、縦置き状態および横置き状態の両方の状態で自立可能な携帯情報端末を提供することである。
【課題を解決するための手段】
【０００７】
この発明の一の局面による携帯情報端末は、情報を表示する表示部と、表示部が前面に設けられる筐体とを備え、筐体の表示部が設けられる前面とは反対側の後面には、支持部分が一体的に設けられており、支持部分は、筐体の長手方向の両端部近傍に設けられた第１支持部分および第２支持部分を含み、第１支持部分および第２支持部分の一方は、表示部が横向きになるように立てた横置き状態で筐体を支持する第１底部支持部と、表示部が縦向きになるように立てた縦置き状態で筐体を支持する第２底部支持部との両方を含み、第１支持部分および第２支持部分の他方は、第１底部支持部および第２底部支持部のうちの少なくとも第１底部支持部を含む。
【０００８】
この一の局面による携帯情報端末では、上記のように、表示部が横向きになるように立てた横置き状態では第１底部支持部を構成することにより筐体を横置き状態に支持可能であるとともに、表示部が縦向きになるように立てた縦置き状態では第２底部支持部を構成することにより筐体を縦置き状態で支持可能であるように支持部分を設けることによって、第１底部支持部および第２底部支持部により、それぞれ、横置き状態および縦置き状態で筺体を支持することができるので、横置き状態および縦置き状態の両方で携帯情報端末を自立させることができる。これにより、縦置き状態および横置き状態のいずれの場合でも、ハンズフリーで携帯情報端末のコンテンツを視聴することができる。また、筐体の長手方向の両端部近傍に第１支持部分および第２支持部分を設けるとともに、第１支持部分および第２支持部分の両方に横置き状態で筺体を支持する第１底部支持部を設けることによって、筐体の長手方向の両端部近傍において、第１支持部分および第２支持部分の両方の第１底部支持部により筺体を横置き状態でより安定して支持することができるので、携帯情報端末を横向き状態でより安定して自立させることができる。また、支持部分を筺体に一体的に設けることによって、支持部分を回動部材などを介して筺体に取り付ける場合とは異なり、簡易な構成の支持部分で携帯情報端末を横置き状態および縦置き状態の両方で自立させることができる。
【０００９】
上記一の局面による携帯情報端末において、好ましくは、筺体の後面から突出した状態で筺体の長手方向に沿って延びるように筐体と一体的に形成され、内部に電池を収納可能な電池収納部分を含み、電池収納部分は、表示部が縦向き状態で把持可能なように構成されている。このように構成すれば、表示部を縦向きにした状態で、ユーザは電池収納部分を把持して携帯情報端末を容易に手に持って使用することができる。
【００１０】
この場合、好ましくは、支持部分は、表示部が横向き状態で把持可能なように構成されている。このように構成すれば、表示部を横向きにした状態で、ユーザは支持部分を把持して携帯情報端末を容易に手に持って使用することができる。
【００１１】
上記支持部分が把持可能な構成において、好ましくは、電池収納部分は、支持部分に対して、表示部が横向き状態でユーザが支持部分を把持する際にユーザの指を挿入可能な間隔を隔てて配置されている。このように構成すれば、ユーザは電池収納部分と支持部分との間に指を挿入して支持部分を把持することができるので、より容易に、表示部を横向きにした状態で、ユーザは支持部分を把持して携帯情報端末を容易に手に持って使用することができる。
【００１２】
上記電池収納部分を含む構成において、好ましくは、筺体が縦置き状態で支持された際の電池収納部分の中央部よりも下側に、電池の重心が位置するように電池が収納されるように構成されている。このように構成すれば、縦置き状態において、電池をより低い位置に配置して携帯情報端末全体の重心位置を低くすることができるので、縦置き状態で携帯情報端末をより安定して自立させることができる。
【００１３】
上記電池収納部分を含む構成において、好ましくは、電池収納部分は、筺体の後面の短手方向の第１底部支持部の近傍に設けられている。このように構成すれば、横置き状態において、電池をより低い位置に配置して携帯情報端末の重心位置を低くすることができるので、横置き状態で携帯情報端末をより安定して自立させることができる。
【００１４】
上記一の局面による携帯情報端末において、好ましくは、筺体が縦置き状態で支持された際の上側の第２底部支持部に外部接続端子をさらに備える。このように構成すれば、携帯情報端末を縦置き状態で自立させた際に、外部接続端子が筺体の上側に配置されるので、容易に、外部接続端子を使用することができる。
【００１５】
上記一の局面による携帯情報端末において、好ましくは、筺体の載置面に対する表示部の傾斜角度が横置き状態の場合よりも縦置き状態の方が大きくなるように形成されている。このように構成すれば、横向き状態に比べて携帯情報端末の重心位置が高くなる縦置き状態でも、載置面に対する傾斜角度を大きくして携帯情報端末を安定して自立させることができる。
【００１６】
上記一の局面による携帯情報端末において、好ましくは、筺体は、表示部を取り囲むように設けられた枠部を含み、第２底部支持部と枠部の外縁部とは、略面一になるように形成されている。このように構成すれば、第２底部支持部により筺体を縦置き状態で支持する場合に、第２底部支持部と枠部との段差に起因して筺体ががたつくのを抑制することができる。
【００１７】
上記一の局面による携帯情報端末において、好ましくは、筺体が縦置き状態で支持された際の下側の第２底部支持部には、複数の突起部分が設けられている。このように構成すれば、複数の突起部分により、第２底部支持部が載置面に面接触するのを抑制することができるので、携帯情報端末を縦置き状態で安定して自立させることができる。
【００１８】
上記一の局面による携帯情報端末において、好ましくは、表示部は、表示部の縦向き状態と横向き状態とに応じて表示の方向を変更可能に構成されている。このように構成すれば、使用状態に応じて表示方向を変更することができるので、使用態様に適した方向の表示を得ることができる。
【発明の効果】
【００１９】
本発明によれば、上記のように、横置き状態および縦置き状態の両方で携帯情報端末を自立させることができる。
【図面の簡単な説明】
【００２０】
【図１】本発明の一実施形態による携帯情報端末の全体斜視図である。
【図２】本発明の一実施形態による携帯情報端末の正面側から見た平面図である。
【図３】本発明の一実施形態による携帯情報端末の後面側から見た平面図である。
【図４】本発明の一実施形態による携帯情報端末の下側から見た図である。
【図５】本発明の一実施形態による携帯情報端末の横置き状態をＸ１方向から見た図である。
【図６】本発明の一実施形態による携帯情報端末の横置き状態をＸ２方向から見た図である。
【図７】本発明の一実施形態による携帯情報端末の縦置き状態を正面側から見た平面図である。
【図８】本発明の一実施形態による携帯情報端末の縦置き状態を側面から見た図である。
【図９】本発明の一実施形態による携帯情報端末の縦置き状態を後面側から見た斜視図である。
【図１０】本発明の一実施形態による携帯情報端末の傾斜面部を載置面に当接した状態を側面から見た図である。
【図１１】本発明の一実施形態による携帯情報端末を横向きにして把持した状態の図である。
【図１２】本発明の一実施形態による携帯情報端末の縦向きにして把持した状態の図である。
【発明を実施するための形態】
【００２１】
以下、本発明を具体化した実施形態を図面に基づいて説明する。
【００２２】
まず、図１〜図１２を参照して、本発明の一実施形態による携帯情報端末１００の構成について説明する。
【００２３】
図１および図２に示すように、本発明の一実施形態による携帯情報端末１００は、情報を表示する表示部１と、表示部１が前面に設けられる筺体２とにより主に構成されている。この携帯情報端末１００は、表示部１が横向きになるように筺体２を立てた横置き状態で使用可能に構成されている。また、携帯情報端末１００は、表示部１が縦向きになるように筺体２を立てた縦置き状態（図７参照）でも使用可能に構成されている。また、携帯情報端末１００は、ユーザにより横向き状態に把持された状態（図１１参照）で使用可能に構成されている。また、携帯情報端末１００は、ユーザにより縦向き状態に把持された状態（図１２参照）で使用可能に構成されている。
【００２４】
また、この携帯情報端末１００は、インターネット接続可能に構成されており、インターネット接続をすることによりメール、ビデオチャット、ボイスチャットおよびＩＰ電話などを使用可能に構成されている。また、携帯情報端末１００は、インターネット接続をしていない場合にも、オーディオ機器類（図示せず）のリモコンとして機能するとともに、携帯情報端末１００自身をオーディオビジュアル機器として使用可能に構成されている。また、携帯情報端末１００は、デジタルフォトフレームおよび監視装置などとしても使用可能である。
【００２５】
表示部１は、図１および図２に示すように、略横長矩形形状に形成されている。また、表示部１は、タッチパネル機能を有しており、ユーザが表示部１に表示された操作ボタンを押下することにより、操作が可能なように構成されている。また、筺体２の内部には、携帯情報端末１００の姿勢（載置状態）を検知する姿勢検知センサ（図示せず）が設けられており、表示部１は、姿勢検知センサにより検知された表示部１の縦向き状態と横向き状態とに応じて表示の方向を変更可能に構成されている。
【００２６】
また、表示部１のＸ１方向側の側端部の側方における筺体２の前面２１ａには、図１および図２に示すように、カメラ３が設置されている。このカメラ３は、たとえば、ビデオチャット時の画像を撮像する機能を有する。また、カメラ３は、筺体２を立てた状態（図１、図２および図７の状態）では、監視カメラおよび明るさを検知するセンサなどの機能を有する。
【００２７】
ここで、本実施形態では、筺体２には、図１および図２に示すように、表示部１を取り囲むように設けられた枠部２１ｃが形成されている。また、筐体２の表示部１が設けられる前面２１ａとは反対側の後面２１ｂには、図３、図４、図８および図９に示すように、第１支持部分２３および第２支持部分２４が形成されている。また、第１支持部分２３および第２支持部分２４は、それぞれ、筺体２の長手方向（Ｘ方向）の両端部近傍に設けられている。また、筐体２の後面２１ｂには、電池２５１（リチウムイオン電池）（図９参照）を収納する電池収納部分２５が形成されている。また、第１支持部分２３および第２支持部分２４と、電池収納部分２５とは、筺体２に一体的に形成されている。また、筺体２は、樹脂により形成されている。なお、第１支持部分２３は、本発明の「支持部分」の一例である。また、第２支持部分２４は、本発明の「支持部分」の一例である。
【００２８】
第１支持部分２３は、図３〜図５および図９に示すように、横置き状態支持部２３１および縦置き状態支持部２３２を含む。また、横置き状態支持部２３１は、第１支持部分２３のＹ２方向側の端部に設けられている。横置き状態支持部２３１は、図４に示すように、Ｙ２方向から見て、Ｚ１方向側からＺ２方向側に向かって先細る楔形形状を有するように構成されている。横置き状態支持部２３１には、図３〜図５に示すように、突起部分２３１ａが一体的に形成されている。また、突起部分２３１ａは、横置き状態支持部２３１のＺ２方向側の端部近傍に１つ形成されている。また、突起部分２３１ａは、点形状（図４参照）を有する。また、突起部分２３１ａは、筺体２を横置き状態にした際に載置面に接触するように構成されている。なお、横置き状態支持部２３１は、本発明の「第１底部支持部」の一例である。
【００２９】
また、縦置き状態支持部２３２は、図３〜図５、図８および図９に示すように、第１支持部分２３のＸ１方向側の端部に設けられている。縦置き状態支持部２３２は、Ｘ方向から見て、図５に示すように、Ｚ１方向側からＺ２方向側に向かって先細る略台形形状を有する。また、縦置き状態支持部２３２には、４つの突起部分２３２ａが一体的に形成されている。また、突起部分２３２ａは、略台形形状の縦置き状態支持部２３２の四隅近傍にそれぞれ１つ形成されている。また、突起部分２３２ａは、点形状（図５参照）を有する。また、突起部分２３２ａは、筺体２を横置き状態にした際に載置面に接触するように構成されている。縦置き状態支持部２３２は、本発明の「第２底部支持部」の一例である。
【００３０】
第２支持部分２４は、図３、図４、図６、図８および図９に示すように、横置き状態支持部２４１および側面部２４２を含む。また、第２支持部分２４は、筺体２の短手方向（Ｙ方向）に延びるように筺体２のＸ２方向側の端部近傍に設けられている。また、横置き状態支持部２４１は、第２支持部分２４のＹ２方向側の端部に設けられている。横置き状態支持部２４１は、図４に示すように、Ｙ２方向から見て、Ｚ１方向側からＺ２方向側に向かって先細る楔形形状を有するように構成されている。横置き状態支持部２４１の下側（Ｙ２方向側）には、図３、図４および図６に示すように、突起部分２４１ａが一体的に形成されている。また、突起部分２４１ａは、横置き状態支持部２４１のＺ２方向側の端部近傍に１つ形成されている。また、突起部分２４１ａは、点形状（図４参照）を有する。また、突起部分２４１ａは、筺体２を横置き状態にした際に載置面に接触するように構成されている。
【００３１】
また、側面部２４２は、図３、図４および図６に示すように、第２支持部分２４のＸ２方向側の端部に形成されている。側面部２４２は、Ｘ方向から見て、図６に示すように、Ｚ１方向側からＺ２方向側に向かって先細る略台形形状を有する。また、側面部２４２には、図１、図６および図９に示すように、後述する外部接続端子５が設けられている。なお、横置き状態支持部２４１は、本発明の「第１底部支持部」の一例である。
【００３２】
また、第１支持部分２３および第２支持部分２４は、それぞれ、図３、図５および図６に示すように、表示部１が横向きになるように立てた横置き状態では横置き状態支持部２３１および２４１を構成することにより筐体２を横置き状態に支持可能に構成されている。また、第１支持部分２３は、それぞれ、図８および図９に示すように、表示部１が縦向きになるように立てた縦置き状態では縦置き状態支持部２３２を構成することにより筐体２を縦置き状態で支持可能に構成されている。また、縦置き状態支持部２３２および側面部２４２と枠部２１ｃの外縁部とは、図５、図６、図８および図９に示すように、枠部２１ｃと略面一になるように形成されている。
【００３３】
また、電池収納部分２５は、図３、図４、図８、図９および図１２に示すように、筺体２の後面２１ｂのＸ方向の略中央に形成されている。電池収納部分２５は、筺体２の後面２１ｂから突出した状態で筺体２の長手方向（Ｘ方向）に沿って延びるように形成されている。また、電池収納部分２５は、図８および図９に示すように、筺体２の後面２１ｂ側に突出する凸形状を有している。電池収納部分２５は、第１支持部分２３および第２支持部分２４とは独立して第１支持部分２３および第２支持部分２４が突出する方向と同様の方向に突出している。また、図９に示すように、電池収納部分２５の筺体２が縦置き状態で支持された際の下側（Ｘ１方向側）に、電池２５１が収納されるように構成されている。詳細には、電池２５１は、筺体２が縦置き状態で支持された際の電池収納部分２５のＸ方向の中央部（筺体２のＹ方向の中心線ｃ上に電池２５のＸ方向の中央部が位置する）よりも下側（Ｘ１方向側）に電池２５１の重心２５１ａが位置するように電池収納部分２５に収納される。また、電池収納部分２５の筺体２が縦置き状態で支持された際の上側（Ｘ２方向側）には、電池２５１の電力を携帯情報端末１００本体に供給するための電子部品が配置されている。この電子部品は、電池２５１よりも軽い重さを有する。また、電池収納部分２５は、図１２に示すように、表示部１の長手方向（Ｘ方向）を縦向きにした状態で把持可能なように構成されている。この場合、電池収納部分２５は、ユーザの左手の指が引っかけられるように構成されている。
【００３４】
また、電池収納部分２５は、図３、図４、図８および図９に示すように、筺体２の短手方向（Ｙ方向）のＹ２方向端部近傍で、かつ、第１支持部分２３および第２支持部分２４の間に設けられている。具体的には、電池収納部分２５は、第１支持部分２３および第２支持部分２４それぞれに対して、表示部１が横向き状態でユーザが第１支持部分２３および第２支持部分２４を把持する際にユーザの指を挿入可能なＸ方向の間隔を隔てて配置されるように構成されている。また、上記のように第１支持部分２３および第２支持部分２４を構成することによって、第１支持部分２３および第２支持部分２４は、図１１に示すように、表示部１の長手方向（Ｘ方向）を横向きにして両手で把持可能に構成されている。この場合、第１支持部分２３は、ユーザの右手の人差し指などが添えられた状態で把持されるとともに、第２支持部分２４は、ユーザの左手の人差し指などが添えられた状態で把持される。
【００３５】
上記のように第１支持部分２３および第２支持部分２４を構成することによって、図３、図５および図６に示すように、筺体２を横置き状態にして第１支持部分２３の横置き状態支持部２３１および第２支持部分２４の横置き状態支持部２４１により筺体２を自立可能である。この場合、表示部１の表示は、Ｙ２方向側が下方向になるように表示される。また、第１支持部分２３および第２支持部分２４は、それぞれ、図５および図６に示すように、筺体２を横置き状態にした際に、筺体２および表示部１を載置面に対して傾斜角度α度（たとえば、７７度）傾斜させた状態で筺体２を自立させるように構成されている。また、枠部２１ｃの下側（Ｙ２方向側）および突起部分２３１ａおよび２４１ａが載置面と接触するので、携帯情報端末１００を安定した状態で載置することが可能となる。
【００３６】
また、上記のように第１支持部分２３を構成することによって、図８および図９に示すように、筺体２を縦置きにした状態で第１支持部分２３の縦置き状態支持部２３２により筺体２を自立可能である。この場合、表示部１の表示は、Ｘ１方向側が下方向になるように表示される。また、第１支持部分２３は、それぞれ、図８に示すように、筺体２を縦置き状態にした際に、筺体２を載置面に対して傾斜角度β度（たとえば、８０度）傾斜させた状態で筺体２を自立させるように構成されている。第１支持部分２３は、横置き状態における筺体２の載置面に対する表示部１の傾斜角度α度（図５参照）よりも、縦置き状態における傾斜角度β度の方が大きくなるように形成されている。
【００３７】
また、第１支持部分２３および第２支持部分２４は、それぞれ、図５および図６に示すように、筺体２のＹ１方向の端部側からＹ２方向の端部側に向かって筺体２の前後方向の厚みが部分的に増加するように構成されている。第１支持部分２３および第２支持部分２４の部分的に厚みが増加する部分には、それぞれ、表示部１に対して傾斜する傾斜面部２３３および２４３が設けられている。これにより、図１０に示すように、傾斜面部２３３および２４３を載置面に当接させて、寝かせた状態で筺体２を支持することが可能なように構成されている。
【００３８】
また、筺体２のＹ１方向側には、図３、図８、図９および図１２に示すように、電源スイッチ４１および音量スイッチ４２および４３が設けられている。また、音量スイッチ４２は、スピーカ（図示せず）の音量を上げる機能を有する。また、音量スイッチ４３は、スピーカの音量を下げる機能を有する。また、筺体２のＸ１方向側には、図１、図２、図７および図１２に示すように、入力を受け付ける画面に移動する機能を有するフォームスイッチ４４と、メニュー画面に移動する機能を有するメニュースイッチ４５と、ユーザからの指示を確定させるリターンスイッチ４６とが設けられている。
【００３９】
また、図１、図６および図９に示すように、第２支持部分２４の側面部２４２のＸ２方向側には、外部接続端子５が設けられている。また、外部接続端子５は、筺体２が縦置き状態で支持された際の上側（Ｘ２方向側）になるように側面部２４２に設けられている。外部接続端子５は、図１、図６および図９に示すように、２つのＵＳＢ接続部５１および５２と、ＨＤＭＩ接続部５３と、音声ケーブル接続部５４と、電源コネクタ５５とを含んでいる。２つのＵＳＢ接続部５１および５２は、それぞれ、ＵＳＢケーブルを介して外部機器と接続するために設けられている。また、ＨＤＭＩ接続部５３は、ＨＤＭＩケーブルを介してテレビジョン装置などと接続された場合に、テレビジョン装置などに対して映像および音声データを送信可能に構成されている。また、音声ケーブル接続部５４は、ヘッドホンなどを接続可能に構成されている。また、電源コネクタ５５は、携帯情報端末１００に電力を取り入れるために設けられている。
【００４０】
本実施形態では、上記のように、表示部１が横向きになるように立てた横置き状態では横置き状態支持部２３１および２４１を構成することにより筺体２を横置き状態に支持可能であるとともに、表示部１が縦向きになるように立てた縦置き状態では縦置き状態支持部２３２を構成することにより筺体２を縦置き状態で支持可能であるように第１支持部分２３および第２支持部分２４を設ける。これにより、横置き状態支持部２３１および２４１と縦置き状態支持部２３２とにより、それぞれ、横置き状態および縦置き状態で筺体２を支持することができるので、横置き状態および縦置き状態の両方で携帯情報端末１００を自立させることができる。また、筐体２の長手方向の両端部近傍に第１支持部分２３および第２支持部分２４を設けるとともに、第１支持部分２３および第２支持部分２４の両方に横置き状態で筺体２を支持する横置き状態支持部２３１および２４１を設ける。これにより、筐体２の長手方向の両端部近傍において、第１支持部分２３および第２支持部分２４の両方の横置き状態支持部２３１および２４１により筺体２を横置き状態でより安定して支持することができるので、携帯情報端末１００を横向き状態でより安定して自立させることができる。また、第１支持部分２３および第２支持部分２４を筺体２に一体的に設ける。これにより、第１支持部分２３および第２支持部分２４を回動部材などを介して筺体２に取り付ける場合とは異なり、簡易な構成の第１支持部分２３および第２支持部分２４で携帯情報端末１００を横置き状態および縦置き状態の両方で自立させることができる。
【００４１】
本実施形態では、上記のように、筺体２の後面２１ｂから突出した状態で筺体２の長手方向に沿って延びるように筺体２と一体的に形成されるとともに、内部に電池２５１を収納可能な電池収納部分２５を設けるとともに、表示部１が縦向き状態で把持可能なように電池収納部分２５を構成する。これにより、表示部１を縦向きにした状態で、ユーザは電池収納部分２５を把持して携帯情報端末１００を容易に手に持って使用することができる。
【００４２】
本実施形態では、上記のように、表示部１が横向き状態で把持可能なように第１支持部分２３および第２支持部分２４を構成する。これにより、表示部１を横向きにした状態で、ユーザは第１支持部分２３および第２支持部分２４を把持して携帯情報端末１００を容易に手に持って使用することができる。
【００４３】
本実施形態では、上記のように、電池収納部分２５を、第１支持部分２３および第２支持部分２４それぞれに対して、表示部１が横向き状態でユーザが第１支持部分２３および第２支持部分２４を把持する際にユーザの指を挿入可能な間隔を隔てて配置するように構成する。これにより、ユーザは電池収納部分２５と第１支持部分２３および第２支持部分２４との間に指を挿入して第１支持部分２３および第２支持部分２４を把持することができるので、より容易に、表示部１を横向きにした状態で、ユーザは第１支持部分２３および第２支持部分２４を把持して携帯情報端末１００を容易に手に持って使用することができる。
【００４４】
本実施形態では、上記のように、筺体２を縦置き状態で支持した際の電池収納部分２５の中央部よりも下側に、電池２５１の重心２５１ａが位置するように電池２５１を収納するように構成する。これにより、縦置き状態において、電池２５１をより低い位置に配置して携帯情報端末１００全体の重心位置を低くすることができるので、縦置き状態で携帯情報端末１００をより安定して自立させることができる。
【００４５】
本実施形態では、上記のように、電池収納部分２５を、筺体２の後面２１ｂの短手方向の横置き状態支持部２３１および２４１の近傍に設けるように構成する。これにより、横置き状態において、電池２５１をより低い位置に配置して携帯情報端末１００の重心位置を低くすることができるので、横置き状態で携帯情報端末１００をより安定して自立させることができる。
【００４６】
本実施形態では、上記のように、筺体２を縦置き状態で支持した際の上側の側面部２４２に外部接続端子５をさらに設けるように構成する。これにより、携帯情報端末１００を縦置き状態で自立させた際に、外部接続端子５が筺体２の上側に配置されるので、容易に、外部接続端子５を使用することができる。
【００４７】
本実施形態では、上記のように、筺体２の載置面に対する表示部１の傾斜角度が横置き状態の場合よりも縦置き状態の方を大きくするように構成する。これにより、横向き状態に比べて携帯情報端末１００の重心位置が高くなる縦置き状態でも、載置面に対する傾斜角度を大きくして携帯情報端末１００を安定して自立させることができる。
【００４８】
本実施形態では、上記のように、筺体２に、表示部１を取り囲むように設けられた枠部２１ｃを設けるとともに、縦置き状態支持部２３２と枠部２１ｃの外縁部とを、略面一になるように構成する。これにより、縦置き状態支持部２３２により筺体２を縦置き状態で支持する場合に、縦置き状態支持部２３２と枠部２１ｃとの段差に起因して筺体２ががたつくのを抑制することができる。
【００４９】
本実施形態では、上記のように、筺体２が縦置き状態で支持された際の下側の縦置き状態支持部２３２に、複数の突起部分２３２ａを設ける。これにより、複数の突起部分２３２ａにより、縦置き状態支持部２３２が載置面に面接触するのを抑制することができるので、携帯情報端末１００を縦置き状態で安定して自立させることができる。
【００５０】
本実施形態では、上記のように、表示部１を、表示部１の縦向き状態と横向き状態とに応じて表示の方向を変更可能に構成する。これにより、使用状態に応じて表示方向を変更することができるので、使用態様に適した方向の表示を得ることができる。
【００５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５２】
上記実施形態では、本発明の支持部分の一例として、第１支持部分および第２支持部分を、それぞれ、１つずつ設けた例を示したが、本発明はこれに限られない。本発明では、１つ、または、３つ以上の支持部分を設けてもよい。
【００５３】
上記実施形態では、第２支持部分２４に、本発明の第１底部支持部としての横置き状態支持部２４１を設けた例を示したが、本発明はこれに限られない。本発明では、第１底部支持部および第２底部支持部の両方を、第２支持部分に設けてもよい。
【００５４】
上記実施形態では、筺体の後面のＸ方向の略中央に電池収納部分を設けた例を示したが、本発明はこれに限られない。本発明では、たとえば、縦置き状態で支持された際の筺体の下側の内部に電池収納部分を設けてもよい。
【００５５】
上記実施形態では、電池収納部分を、Ｘ方向の両端部の第１支持部分および第２支持部分のそれぞれに対してユーザの指を挿入可能な間隔を隔てるように配置した例を示したが、本発明はこれに限られない。本発明では、第１支持部分および第２支持部分のうちの一方に対してのみユーザの指を挿入可能な間隔を隔てるように電池収納部分を配置してもよい。
【００５６】
上記実施形態では、載置面に接触する突起部分を点形状に形成した例を示したが、本発明はこれに限られない。本発明では、点形状以外の、たとえば、リブ状の突起部分を形成して載置面に接触させてもよい。
【００５７】
上記実施形態では、本発明の第２底部支持部としての縦置き状態支持部２３２に突起部分を設けた例を示したが、本発明はこれに限られない。本発明では、Ｘ１方向側およびＸ２方向側の両側の第２底部支持部に突起部分を設けてもよい。
【００５８】
上記実施形態では、本発明の第２底部支持部としての縦置き状態支持部２３２に、４つの突起部分を設けた例を示したが、本発明はこれに限られない。本発明では、２つ、３つ、または、５つ以上の突起部分を第２底部支持部に設けてもよい。
【００５９】
上記実施形態では、本発明の第１底部支持部としての横置き状態支持部に、１つの突起部分を設けた例を示したが、本発明はこれに限られない。本発明では、２つ以上の突起部分を第１底部支持部に設けてもよい。
【符号の説明】
【００６０】
１  表示部
２  筺体
５  外部接続端子
２１ａ  前面
２１ｂ  後面
２１ｃ  枠部
２３  第１支持部分（支持部分）
２４  第２支持部分（支持部分）
２５  電池収納部分
１００  携帯情報端末
２３１  横置き状態支持部（第１底部支持部）
２３２  縦置き状態支持部（第２底部支持部）
２３２ａ   突起部分
２４１  横置き状態支持部（第１底部支持部）
２５１  電池
【図１】
2013207736.tif 000003
【図２】
2013207736.tif 000004
【図３】
2013207736.tif 000005
【図４】
2013207736.tif 000006
【図５】
2013207736.tif 000007
【図６】
2013207736.tif 000008
【図７】
2013207736.tif 000009
【図８】
2013207736.tif 000010
【図９】
2013207736.tif 000011
【図１０】
2013207736.tif 000012
【図１１】
2013207736.tif 000013
【図１２】
2013207736.tif 000014